(57)【要約】【課題】ディスプレイの点灯及び消灯をユーザの利用状況にあわせて制御する技術を改善すること。【解決手段】電子機器１は、ディスプレイ２Ａと、コントローラ１０と、自機の傾きを検出するジャイロスコープ（第１センサ）１７と、を備える。コントローラ１０は、ディスプレイ２Ａが消灯している間にディスプレイ２Ａを点灯させる第１操作がなされると、ディスプレイ２Ａを点灯させ、第１操作がなされた後から第１時間が経過するまでにディスプレイ２Ａの点灯を維持する第２操作がなされないと、ディスプレイ２Ａを消灯させ、ジャイロスコープ１７の検出結果に応じて、ディスプレイ２Ａが点灯してから消灯するまでの時間を延長する。【選択図】図４
2019083415.tif 000002
【特許請求の範囲】
【請求項１】
ディスプレイと、コントローラと、基準軸に対する自機の傾きを検出する第１センサと、を備え、
前記コントローラは、
前記ディスプレイが消灯している間に前記ディスプレイを点灯させる第１操作がなされると、前記ディスプレイを点灯させ、
前記第１操作がなされた後から第１時間が経過するまでに前記ディスプレイの点灯を維持する第２操作がなされないと、前記ディスプレイを消灯させ、
前記第１センサの検出結果に応じて、前記ディスプレイが点灯してから消灯するまでの時間を延長する、
電子機器。
【請求項２】
前記コントローラは、
前記ディスプレイが消灯している間に前記第１操作がなされると、計時部によって前記第１時間の計時を開始して前記ディスプレイを点灯させ、
前記第１操作がなされてから前記第１時間が経過するまでに前記第２操作がなされないと、前記ディスプレイを消灯させ、
前記ディスプレイが点灯している間は、前記第１センサの検出結果に応じて、前記第１時間の計時を終了し、前記ディスプレイの点灯を維持した状態で前記計時部によって第２時間の計時を開始することで、前記ディスプレイが点灯してから消灯するまでの時間を延長する、
請求項１に記載の電子機器。
【請求項３】
前記コントローラは、
前記ディスプレイが点灯している間に前記第２操作がなされると、前記第１時間の計時を終了し、再び前記計時部によって前記第１時間の計時を開始して前記ディスプレイの点灯を維持する、
請求項２に記載の電子機器。
【請求項４】
前記コントローラは、
前記第１センサが第１角度から第２角度までの第１傾斜範囲で前記自機の傾きを所定時間継続して検出すると、前記第１時間の計時を終了し、前記第２時間の計時を開始して前記ディスプレイの点灯を維持する、
請求項２または３に記載の電子機器。
【請求項５】
前記コントローラは、
前記第１時間の計時を開始してから終了するまでの間に、前記第１センサが前記第１傾斜範囲で前記自機の傾きを所定時間継続して検出すると、前記第１時間の計時を終了して前記第２時間の計時を開始して前記ディスプレイの点灯を維持する、
請求項４に記載の電子機器。
【請求項６】
前記コントローラは、
前記第１時間の計時が終了する前に前記第１センサが前記第１傾斜範囲で前記自機の傾きを検出しても、前記第１時間の計時が終了するまでに前記第１センサが前記第１傾斜範囲で前記自機の傾きを前記所定時間継続して検出しなければ、前記第１時間の計時を終了して前記ディスプレイの点灯を維持しない、
請求項５に記載の電子機器。
【請求項７】
前記基準軸は、前記自機に設定された第１回転軸及び第２回転軸のそれぞれに対して定められ、
前記第１センサは、前記第１回転軸および前記第２回転軸に対する前記自機の傾きを検出し、
前記コントローラは、
前記第１センサが前記第１回転軸に対する前記第１傾斜範囲での前記自機の傾き、および前記第２回転軸に対する第３角度から第４角度までの第２傾斜範囲での前記自機の傾きを所定時間継続して検出すると、前記第２時間の計時を開始して前記ディスプレイの点灯を維持する、
請求項４に記載の電子機器。
【請求項８】
前記第１傾斜範囲は、前記第２傾斜範囲よりも大きい、
請求項７に記載の電子機器。
【請求項９】
前記第１傾斜範囲で最大の前記第２角度は、前記第２傾斜範囲で最大の前記第４角度よりも大きく、かつ、前記第１傾斜範囲で最小の前記第１角度は、第２傾斜範囲で最小の前記第３角度よりも大きい、
請求項７に記載の電子機器。
【請求項１０】
前記第１傾斜範囲で最小の前記第１角度は、前記第２傾斜範囲で最大の前記第４角度よりも大きい、
請求項８に記載の電子機器。
【請求項１１】
前記コントローラは、
前記ディスプレイが第１画面を表示している場合は、前記第１センサの検出結果に応じて、前記ディスプレイが点灯してから消灯するまでの時間を延長し、
前記ディスプレイが前記第１画面とは異なる第２画面を表示している場合は、前記第１センサの検出結果にかかわらず、前記ディスプレイが点灯してから消灯するまでの時間を変更しない、
請求項１から１０のいずれか１項に記載の電子機器。
【請求項１２】
前記コントローラは、
延長された前記時間が、あらかじめ設定された時間に達すると、前記第１センサの検出結果にかかわらず、前記第２時間の計時を行わない、
請求項１から１０のいずれか１項に記載の電子機器。
【請求項１３】
前記コントローラは、
前記第２時間を計時している場合に、前記第２操作がなされると、前記第２時間の計時を終了する、
請求項１２に記載の電子機器。
【請求項１４】
前記自機の周囲の環境の変化を検出する第２センサを備え、
前記コントローラは、
前記第１センサと前記第２センサとの双方の検出結果に応じて、前記ディスプレイが点灯してから消灯するまでの時間を延長する、
請求項１から１３のいずれか１項に記載の電子機器。
【請求項１５】
前記自機の移動状態を検出する第３センサを備え、
前記コントローラは、
前記第３センサの検出結果に基づいて前記自機が静止していると判定している場合に、前記第１センサの検出結果に応じて、前記ディスプレイが点灯してから消灯するまでの時間を延長する
請求項１から１４のいずれか１項に記載の電子機器。
【請求項１６】
ディスプレイと、第１センサとを備える電子機器によって実行される制御方法であって、
前記第１センサによって基準軸に対する自機の傾きを検出するステップと、
前記ディスプレイが消灯している間に前記ディスプレイを点灯させる第１操作がなされると、前記ディスプレイを点灯させるステップと、
前記第１操作がなされた後から第１時間が経過するまでに前記ディスプレイの点灯を維持する第２操作がなされないと、前記ディスプレイを消灯させるステップと、
前記第１センサの検出結果に応じて、前記ディスプレイが点灯してから消灯するまでの時間を延長するステップと、
を含む制御方法。
【請求項１７】
ディスプレイと、第１センサとを備える電子機器に、
前記第１センサによって基準軸に対する自機の傾きを検出するステップと、
前記ディスプレイが消灯している間に前記ディスプレイを点灯させる第１操作がなされると、前記ディスプレイを点灯させるステップと、
前記第１操作がなされた後から第１時間が経過するまでに前記ディスプレイの点灯を維持する第２操作がなされないと、前記ディスプレイを消灯させるステップと、
前記第１センサの検出結果に応じて、前記ディスプレイが点灯してから消灯するまでの時間を延長するステップと、
を実行させる制御プログラム。
【発明の詳細な説明】
【技術分野】
【０００１】
本出願は、電子機器、制御方法、及び制御プログラムに関する。
【背景技術】
【０００２】
ディスプレイと、キー操作がなされると、予め設定された規定時間だけディスプレイを点灯した後に、ディスプレイを消灯するＣＰＵとを備える携帯電話機が開示されている（特許文献１参照）。
【先行技術文献】
【特許文献】
【０００３】
【特許文献１】特開２０１１−１５１６６号公報
【発明の概要】
【発明が解決しようとする課題】
【０００４】
従来の電子機器は、ディスプレイの点灯及び消灯をユーザの利用状況にあわせて制御する技術に改善の余地がある。
【課題を解決するための手段】
【０００５】
態様の１つに係る電子機器は、ディスプレイと、コントローラと、基準軸に対する自機の傾きを検出する第１センサと、を備える。前記コントローラは、前記ディスプレイが消灯している間に前記ディスプレイを点灯させる第１操作がなされると、前記ディスプレイを点灯させ、前記第１操作がなされた後から第１時間が経過するまでに前記ディスプレイの点灯を維持する第２操作がなされないと、前記ディスプレイを消灯させ、前記第１センサの検出結果に応じて、前記ディスプレイが点灯してから消灯するまでの時間を延長する。
【０００６】
態様の１つに係る制御方法は、ディスプレイと、第１センサとを備える電子機器によって実行される制御方法であって、前記第１センサによって基準軸に対する自機の傾きを検出するステップと、前記ディスプレイが消灯している間に前記ディスプレイを点灯させる第１操作がなされると、前記ディスプレイを点灯させるステップと、前記第１操作がなされた後から第１時間が経過するまでに前記ディスプレイの点灯を維持する第２操作がなされないと、前記ディスプレイを消灯させるステップと、前記第１センサの検出結果に応じて、前記ディスプレイが点灯してから消灯するまでの時間を延長するステップと、を含む。
【０００７】
態様の１つに係る制御プログラムは、ディスプレイと、第１センサとを備える電子機器に、前記第１センサによって基準軸に対する自機の傾きを検出するステップと、前記ディスプレイが消灯している間に前記ディスプレイを点灯させる第１操作がなされると、前記ディスプレイを点灯させるステップと、前記第１操作がなされた後から第１時間が経過するまでに前記ディスプレイの点灯を維持する第２操作がなされないと、前記ディスプレイを消灯させるステップと、前記第１センサの検出結果に応じて、前記ディスプレイが点灯してから消灯するまでの時間を延長するステップと、を実行させる。
【図面の簡単な説明】
【０００８】
【図１】図１は、実施形態に係る電子機器の斜視図である。
【図２】図２は、電子機器の正面図である。
【図３】図３は、電子機器の背面図である。
【図４】図４は、電子機器のブロック図である。
【図５】図５は、電子機器の傾きと回転軸との関係の一例を示す図である。
【図６】図６は、電子機器の傾きと回転軸との関係の一例を示す図である。
【図７】図７は、電子機器の傾きと傾斜範囲との関係の一例を示す図である。
【図８】図８は、電子機器の傾きと傾斜範囲との関係の一例を示す図である。
【図９】図９は、電子機器の傾きと傾斜範囲との関係の一例を示す図である。
【図１０】図１０は、電子機器のスリープ機能とディスプレイの制御との関係の一例を示す図である。
【図１１】図１１は、電子機器によるスリープ機能と表示する画面との一例を示す図である。
【図１２】図１２は、電子機器のスリープ機能の延長状態における制御の一例を示す図である。
【図１３】図１３は、電子機器のスリープ機能の延長状態における制御の一例を示す図である。
【図１４】図１４は、電子機器によるスリープ機能の制御に関する所定手順の一例を示すフローチャートである。
【図１５】図１５は、電子機器による傾斜判別処理の所定手順の一例を示すフローチャートである。
【図１６】図１６は、電子機器による傾斜判別処理の所定手順の他の一例を示すフローチャートである。
【発明を実施するための形態】
【０００９】
本出願に係る電子機器、制御方法、及び制御プログラムを実施するための複数の実施形態を、図面を参照しつつ詳細に説明する。本出願に係る電子機器は、例えば、タブレット型端末、スマートフォン、モバイルフォン、携帯型パソコン、ヘッドマウントディスプレイ、デジタルカメラ、メディアプレイヤ、電子書籍リーダ、ナビゲータ、ウエアラブルデバイス、又はゲーム機等を含むが、これに限定されない。
【００１０】
図１から図３を参照しながら、実施形態に係る電子機器１の全体的な構成について説明する。図１から図３に示すように、電子機器１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００１１】
電子機器１は、タッチスクリーンディスプレイ２と、照度センサ４と、カメラ１２とをフロントフェイス１Ａに有する。電子機器１は、カメラ１３をバックフェイス１Ｂに有する。電子機器１は、ボタン３Ａ〜３Ｃと、コネクタ１４とをサイドフェイス１Ｃに有する。以下では、ボタン３Ａ〜３Ｃを、どのボタンであるかを特定することなく、ボタン３と総称することがある。
【００１２】
タッチスクリーンディスプレイ２は、ディスプレイ２Ａと、タッチスクリーン２Ｂとを有する。図１の例では、ディスプレイ２Ａ及びタッチスクリーン２Ｂはそれぞれ略長方形状であるが、ディスプレイ２Ａ及びタッチスクリーン２Ｂの形状はこれに限定されない。ディスプレイ２Ａ及びタッチスクリーン２Ｂは、それぞれが正方形又は円形等のどのような形状もとりうる。図１の例では、ディスプレイ２Ａ及びタッチスクリーン２Ｂは重なって位置しているが、ディスプレイ２Ａ及びタッチスクリーン２Ｂの位置はこれに限定されない。ディスプレイ２Ａ及びタッチスクリーン２Ｂは、例えば、並んで位置してもよいし、離れて位置してもよい。図１の例では、ディスプレイ２Ａの長辺はタッチスクリーン２Ｂの長辺に沿っており、ディスプレイ２Ａの短辺はタッチスクリーン２Ｂの短辺に沿っているが、ディスプレイ２Ａ及びタッチスクリーン２Ｂの重ね方はこれに限定されない。ディスプレイ２Ａとタッチスクリーン２Ｂとが重なって位置する場合、例えば、ディスプレイ２Ａの１ないし複数の辺は、タッチスクリーン２Ｂのいずれの辺とも沿っていなくてもよい。
【００１３】
ディスプレイ２Ａは、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを備える。ディスプレイ２Ａは、文字、画像、記号、及び図形等を表示する。
【００１４】
タッチスクリーン２Ｂは、タッチスクリーン２Ｂに対する指、ペン、又はスタイラスペン等の接触を検出する。タッチスクリーン２Ｂは、複数の指、ペン、又はスタイラスペン等がタッチスクリーン２Ｂに接触した位置を検出することができる。以下の説明では、タッチスクリーン２Ｂに対して接触する指、ペン、又はスタイラスペン等を、「接触オブジェクト」又は「接触物」と呼ぶことがある。
【００１５】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下の説明では、説明を簡単にするため、利用者は電子機器１を操作するために指を用いてタッチスクリーン２Ｂに接触するものと想定する。
【００１６】
電子機器１は、タッチスクリーン２Ｂにより検出された接触、接触が検出された位置、接触が検出された位置の変化、接触が検出された間隔、及び接触が検出された回数の少なくとも１つに基づいてジェスチャの種別を判別する。ジェスチャは、タッチスクリーン２Ｂに対して行われる操作である。電子機器１によって判別されるジェスチャは、例えば、タッチ、ロングタッチ、リリース、スワイプ、タップ、ダブルタップ、ロングタップ、ドラッグ、フリック、ピンチイン、及びピンチアウトを含むがこれらに限定されない。
【００１７】
電子機器１は、タッチスクリーン２Ｂを介して判別するこれらのジェスチャに従って動作を行う。このため、利用者にとって直感的で使いやすい操作性が実現される。判別されるジェスチャに従って電子機器１が行う動作は、ディスプレイ２Ａに表示されている画面に応じて異なることがある。以下の説明では、説明を簡単にするために、「タッチスクリーン２Ｂが接触を検出し、検出された接触に基づいてジェスチャの種別を電子機器１がＸと判別すること」を、「電子機器がＸを検出する」、又は「コントローラがＸを検出する」と記載することがある。
【００１８】
図４は、電子機器１のブロック図である。電子機器１は、タッチスクリーンディスプレイ２と、ボタン３と、照度センサ４と、近接センサ５と、通信ユニット６と、スピーカ７と、マイク８と、ストレージ９と、コントローラ１０と、赤外線センサ１１と、カメラ１２及び１３と、コネクタ１４と、加速度センサ１５と、方位センサ１６と、ジャイロスコープ１７とを有する。以下の説明において、電子機器１を「自機」と表記する場合がある。
【００１９】
タッチスクリーンディスプレイ２は、上述したように、ディスプレイ２Ａと、タッチスクリーン２Ｂとを有する。ディスプレイ２Ａは、文字、画像、記号、及び図形等を表示する。タッチスクリーン２Ｂは、接触を検出する。コントローラ１０は、電子機器１に対するジェスチャを検出する。具体的には、コントローラ１０は、タッチスクリーン２Ｂと協働することによって、タッチスクリーン２Ｂ（タッチスクリーンディスプレイ２）に対する操作（ジェスチャ）を検出する。
【００２０】
ボタン３は、利用者によって操作される。ボタン３は、ボタン３Ａ〜ボタン３Ｃを有する。コントローラ１０は、ボタン３と協働することによってボタン３に対する操作を検出する。ボタン３に対する操作は、例えば、クリック、ダブルクリック、トリプルクリック、プッシュ、及びマルチプッシュを含むが、これらに限定されない。
【００２１】
ボタン３Ａは、例えば、電子機器１のパワーオン／オフボタンである。ボタン３Ａは、スリープ／スリープ解除ボタンを兼ねてもよい。ボタン３Ｂ及び３Ｃは、例えば、音量ボタンである。
【００２２】
照度センサ４は、電子機器１の周囲光の照度を検出する。照度は、照度センサ４の測定面の単位面積に入射する光束の値である。照度センサ４は、例えば、ディスプレイ２Ａの輝度の調整に用いられる。近接センサ５は、近隣の物体の存在を非接触で検出する。近接センサ５は、磁界の変化又は超音波の反射波の帰還時間の変化等に基づいて物体の存在を検出する。近接センサ５は、例えば、電子機器１が物体に近付けられたことを検出する。照度センサ４及び近接センサ５は、一つのセンサとして構成されていてもよい。照度センサ４は、近接センサとして用いられてもよい。赤外線センサ１１は、受光した赤外線の変化に基づいて物体の存在を非接触で検出する。赤外線センサ１１は、例えば、電子機器１が物体に近接しているかの推定に用いられる。
【００２３】
通信ユニット６は、無線により通信できる。通信ユニット６によってサポートされる通信方式は、無線通信規格である。無線通信規格として、例えば、２Ｇ、３Ｇ、４Ｇ等のセルラーフォンの通信規格がある。セルラーフォンの通信規格として、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００（Ｗｉｄｅｂａｎｄ  Ｃｏｄｅ  Ｄｉｖｉｓｉｏｎ  Ｍｕｌｔｉｐｌｅ  Ａｃｃｅｓｓ  ２０００）、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等を含む。無線通信規格として、さらに、例えば、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）等を含む。通信ユニット６は、上述した通信規格の１つ又は複数をサポートしていてもよい。
【００２４】
電子機器１は、照度センサ４、近接センサ５、赤外線センサ１１、加速度センサ１５、方位センサ１６及びジャイロスコープ１７を、ハウジング２０内に設けている。
【００２５】
スピーカ７は、音を出力する音出力部の１つの例である。スピーカ７は、コントローラ１０から送信される音信号を音として出力できる。スピーカ７は、例えば、通知音、アラーム音及び音楽を出力するために用いてもよい。マイク８は、音を入力する音入力部の１つの例である。マイク８は、利用者の音声等を音信号へ変換してコントローラ１０へ送信できる。
【００２６】
ストレージ９は、プログラム及びデータを記憶できる。ストレージ９は、コントローラ１０の処理結果を一時的に記憶する作業領域としても利用してもよい。ストレージ９は、記録媒体を含む。記録媒体は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の可搬の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００２７】
ストレージ９に記憶されるプログラムには、フォアグランド又はバックグランドで実行されるアプリケーションと、アプリケーションの動作を支援する制御プログラムとが含まれる。アプリケーションは、例えば、ディスプレイ２Ａに第２画面を表示させ、タッチスクリーン２Ｂを介して検出されるジェスチャに応じた処理をコントローラ１０に実行させる。制御プログラムは、例えば、ＯＳである。アプリケーション及び制御プログラムは、通信ユニット６による無線通信又は非一過的な記憶媒体を介してストレージ９にインストールされてもよい。第２画面は、例えば、ロック画面、ホーム画面、スタート画面等を含む。ロック画面とは、電子機器のディスプレイ２Ａが消灯している状態から点灯したときに最初に表示される画面であってよい。また、ホーム画面やスタート画面とは、ロック画面のロックが解除されたときに最初に表示される画面であってよい。
【００２８】
ストレージ９は、例えば、制御プログラム９Ａ、アプリケーション９Ｂ、傾きデータ９Ｘ、延長状態データ９Ｙ、及び設定データ９Ｚを記憶する。傾きデータ９Ｘは、電子機器１の傾きを示す情報を含む。延長状態データ９Ｙは、電子機器１のスリープ機能が延長状態であるか否かを示す情報を含む。設定データ９Ｚは、電子機器１の動作に関する各種の設定に関する情報を含む。
【００２９】
制御プログラム９Ａは、電子機器１を稼働させるための各種制御に関する機能を提供してもよい。制御プログラム９Ａは、例えば、通信ユニット６等を制御することによって、通信を実現させる。制御プログラム９Ａが提供する機能には、タッチスクリーン２Ｂを介して検出されたジェスチャに応じて、ディスプレイ２Ａに表示されている情報を変更する等の各種制御を行う機能が含まれる。制御プログラム９Ａが提供する機能には、近接センサ５を制御することによって、物体の接近を推定する機能が含まれる。物体は、例えば、人体、物、自機を収容する収容物等を含む。制御プログラム９Ａが提供する機能は、他のプログラムが提供する機能と組み合わせて利用されることがある。
【００３０】
制御プログラム９Ａは、電子機器１の移動状態（言い換えると、電子機器１を携帯する利用者の移動状態）を判別する機能を提供できる。電子機器１は、制御プログラム９Ａを実行することによって、加速度センサ１５、方位センサ１６及びジャイロスコープ１７の検出結果と判別データとに基づいて、電子機器１の移動状態を判別する。例えば、電子機器１の複数の移動状態は、停止状態、静止状態、歩行状態、走行状態、乗り物での移動状態、自転車での移動状態を含む。停止状態は、自機を携帯している利用者が停止している状態を含む。静止状態は、自機が置かれた状態を含む。歩行状態は、自機を携帯している利用者が歩行している状態を含む。走行状態は、自機を携帯している利用者が走行している状態を含む。乗り物での移動状態は、自機を携帯している利用者が乗り物で移動している状態を含む。乗り物は、例えば、自動車、電車、バス、飛行機、バイク等を含む。自転車での移動状態は、自機を携帯している利用者が自転車で移動している状態を含む。
【００３１】
制御プログラム９Ａは、例えば、初期状態、アプリケーション９Ｂの実行時等の場合、ディスプレイ２Ａを所定の輝度で点灯させる機能を提供できる。制御プログラム９Ａは、電子機器１の消費電力を抑えるスリープ機能を提供できる。スリープ機能は、電子機器１がディスプレイ２Ａを点灯させている状態で、一定期間にわたってユーザによる入力操作がなかった場合、ディスプレイ２Ａの消費電力を抑える機能を含む。スリープ機能は、電子機器１が通常状態からスリープ状態に遷移した場合、起動中のアプリケーション９Ｂ等を終了させることなく、ディスプレイ２Ａの輝度を低くしたり、バックライトあるいはディスプレイ２Ａを消灯したりする機能を含む。
【００３２】
アプリケーション９Ｂは、ユーザの操作によって起動される。アプリケーション９Ｂは、例えば、ブラウザアプリケーション、電子書籍アプリケーション、ナビゲートアプリケーション等を含む。アプリケーション９Ｂは、ユーザによって起動されると、第１画面をディスプレイ２Ａに表示させる。第１画面は、上述した第２画面とは異なる画面である。第１画面は、ユーザが入力操作なしに暫く参照する可能性がある画面を含む。第１画面は、例えば、第２画面と同時にディスプレイ２Ａに表示されない画面としてもよい。
【００３３】
傾きデータ９Ｘは、傾斜情報を時系列的に記憶できる。傾斜情報は、例えば、時間、傾斜角等の項目を含む。時間の項目は、傾斜角を検出した時間を示す情報が設定される。傾斜角の項目は、検出した傾斜角を示す情報が設定される。例えば、傾斜の項目には、後述するピッチ角、ロール角、ヨー角等を示す情報が設定される。傾きデータ９Ｘは、自機の傾きを検出するごとに更新される。
【００３４】
延長状態データ９Ｙは、例えば、延長状態へ遷移、延長状態の継続、延長状態の解除等を示す情報が設定される。
【００３５】
設定データ９Ｚは、消費電力を抑えるスリープ機能を有効にするか否かを示すデータを含む。設定データ９Ｚは、ユーザの操作を検出してから自機をスリープさせるまでの第１時間を示すデータを含む。設定データ９Ｚは、自機が傾いた状態でユーザに利用されているか否かを判定するための判定条件を含む。判定条件の一例については、後述する。
【００３６】
コントローラ１０は、演算処理装置である。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、及びコプロセッサを含むが、これらに限定されない。コントローラ１０は、電子機器１の動作を統括的に制御できる。コントローラ１０の各種機能は、コントローラ１０の制御に基づいて実現される。
【００３７】
具体的には、コントローラ１０は、ストレージ９に記憶されているプログラムに含まれる命令を実行できる。コントローラ１０は、ストレージ９に記憶されているデータを必要に応じて参照できる。コントローラ１０は、データ及び命令に応じて機能部を制御する。コントローラ１０は、機能部を制御することによって、各種機能を実現する。機能部は、例えば、ディスプレイ２Ａ、通信ユニット６、及びスピーカ７を含むが、これらに限定されない。コントローラ１０は、検出部の検出結果に応じて、制御を変更することがある。検出部は、例えば、タッチスクリーン２Ｂ、ボタン３、照度センサ４、近接センサ５、マイク８、赤外線センサ１１、カメラ１２、カメラ１３、加速度センサ１５、方位センサ１６、及びジャイロスコープ１７を含むが、これらに限定されない。
【００３８】
コントローラ１０は、例えば、制御プログラム９Ａを実行することにより、タッチスクリーン２Ｂを介して検出されたジェスチャに応じて、ディスプレイ２Ａに表示されている情報を変更する等の各種制御を実行してもよい。コントローラ１０は、例えば、制御プログラム９Ａを実行することにより、スリープ機能の処理を実現してもよい。コントローラ１０は、例えば、制御プログラム９Ａを実行することにより、自機が傾いた状態でユーザに利用されているかを判定する処理を実現してもよい。
【００３９】
コントローラ１０は、計時部１０ａを含む。例えば、計時部１０ａは、設定された時間をカウントアップまたはカウントダウンし、当該時間が経過したことをコントローラ１０に通知できる。計時部１０ａは、コントローラ１０のハードウェアとして実現されてもよい。計時部１０ａは、コントローラ１０がソフトウェアを実行することによって実現されてもよい。計時部１０ａは、タイマを用いてもよい。計時部１０ａは、コントローラ１０とは異なるハードウェアで実現してもよい。
【００４０】
カメラ１２及びカメラ１３は、撮影した画像を電気信号へ変換できる。カメラ１２は、フロントフェイス１Ａに面している物体を撮影するインカメラである。カメラ１３は、バックフェイス１Ｂに面している物体を撮影するアウトカメラである。
【００４１】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト（登録商標））、イヤホンマイクコネクタのような汎用的な端子であってもよい。コネクタ１４は、Ｄｏｃｋコネクタのような専用の端子でもよい。コネクタ１４に接続される装置は、例えば、外部ストレージ、スピーカ、及び通信装置を含むが、これらに限定されない。
【００４２】
加速度センサ１５は、電子機器１に働く加速度の方向及び大きさを検出できる。方位センサ１６は、地磁気の向きを検出できる。ジャイロスコープ１７は、電子機器１の角度及び角速度を検出できる。加速度センサ１５、方位センサ１６、及びジャイロスコープ１７の検出結果は、電子機器１の位置及び姿勢の変化を検出するために、組み合わせて利用してもよい。
【００４３】
図４においてストレージ９が記憶するプログラム及びデータの一部又は全部は、通信ユニット６による無線通信で他の装置からダウンロードされてもよい。図４においてストレージ９が記憶するプログラム及びデータの一部又は全部は、ストレージ９に含まれる読み取り装置が読み取り可能な非一過的な記憶媒体に記憶されていてもよい。図４においてストレージ９が記憶するプログラム及びデータの一部又は全部は、コネクタ１４に接続される読み取り装置が読み取り可能な非一過的な記憶媒体に記憶されていてもよい。非一過的な記憶媒体は、例えば、ＣＤ（登録商標）、ＤＶＤ（登録商標）、Ｂｌｕ−ｒａｙ（登録商標）等の光ディスク、光磁気ディスク、磁気記憶媒体、メモリカード、及びソリッドステート記憶媒体を含むが、これらに限定されない。
【００４４】
図４に示した電子機器１の構成は一例であり、本発明の要旨を損なわない範囲において適宜変更してよい。例えば、ボタン３の数と種類は図１〜３の例に限定されない。電子機器１は、画面に関する操作のために、ボタンを備えてもよい。図４に示した例では、電子機器１が２つのカメラを備えるが、電子機器１は、１つのカメラのみを備えてもよいし、カメラを備えなくてもよい。図４に示した例では、電子機器１が位置及び姿勢を検出するために複数のセンサを備えるが、電子機器１は、このうちいくつかのセンサを備えなくてもよい。あるいは、電子機器１は、位置及び姿勢の少なくとも１つを検出するための他の種類のセンサを備えてもよい。
【００４５】
図５及び図６は、電子機器１の傾きと回転軸との関係の一例を示す図である。電子機器１は、図５に示すように、自機の長手方向を縦にしている場合、縦向きである。電子機器１は、図６に示すように、自機の長手方向を横にしている場合、横向きである。電子機器１は、縦向きまたは横向きでユーザに利用される。電子機器１が縦向きでユーザに利用されることとは、電子機器１が、アプリケーション２Ｂを含むアプリケーションプログラムが表示する第１画面や第２画面に含まれる文字、画像、記号、及び図形等の上下方向が自機の長手方向と一致した状態でユーザに利用されることである。電子機器１が横向きでユーザに利用されることとは、アプリケーション２Ｂを含むアプリケーションプログラムが表示する第１画面や第２画面に含まれる文字、画像、記号、及び図形等の上下方向が自機の短手方向と一致した状態でユーザに利用されることである。
【００４６】
例えば、ユーザは、電子機器１を長時間にわたって利用する場合、電子機器１を台所、浴室、リビング等で利用する場合等に、電子機器１を置き台１００に置いて利用する可能性がある。この場合、電子機器１は、置き台１００によって基準の姿勢から傾いた状態が維持される。基準の姿勢は、自機の傾きを判定するための予め設定された基準となる姿勢を含む。例えば、基準の姿勢は、垂直姿勢と、水平姿勢とを含む。垂直姿勢は、例えば、自機のディスプレイ２Ａが重力方向に沿って垂直となる姿勢を含む。水平姿勢は、自機のディスプレイ２Ａが重力方向と交わる姿勢を含む。水平姿勢は、例えば、机、テーブル等の上に自機が置かれた姿勢を含む。例えば、基準の姿勢は、電子機器１がディスプレイ２Ａを点灯させた時点の自機の姿勢としてもよい。
【００４７】
電子機器１は、例えば、制御プログラム９Ａを実行することにより、加速度センサ１５、方位センサ１６及びジャイロスコープ１７を用いて、自機の傾きを検出できる。電子機器１は、例えば、直交３軸周りのそれぞれの回転角に基づいて自機の傾きを検出できる。直交３軸は、互いに直交する３つの回転軸を含む。直交３軸は、電子機器１の向きが縦向きと横向きとで異なっていても、３つの回転軸の割り当ては変わらない。直交３軸は、Ｘ軸と、Ｙ軸と、Ｚ軸とを有する。
【００４８】
直交３軸は、電子機器１が縦向きである場合、図５の一例に示すように設定することができる。Ｘ軸は、ハウジング２０のサイドフェイス１Ｃ２の縁とディスプレイ２Ａの短手方向の縁とに沿って延びる回転軸を含む。Ｙ軸は、ハウジング２０のサイドフェイス１Ｃ３の縁とディスプレイ２Ａの長手方向の縁とに沿って延びる回転軸を含む。Ｚ軸は、ディスプレイ２Ａからユーザへ向かう垂直方向に沿って延びる回転軸を含む。
【００４９】
直交３軸は、電子機器１が横向きである場合、図６の一例に示すように設定することができる。Ｘ軸は、ハウジング２０のサイドフェイス１Ｃ４の縁とディスプレイ２Ａの長手方向の縁とに沿って延びる回転軸を含む。Ｙ軸は、ハウジング２０のサイドフェイス１Ｃ２の縁とディスプレイ２Ａの短手方向の縁とに沿って延びる回転軸を含む。Ｚ軸は、ディスプレイ２Ａからユーザへ向かう垂直方向に沿って延びる回転軸を含む。
【００５０】
電子機器１は、Ｘ軸を回転軸として自機を回転させたピッチ角を検出できる。電子機器１は、Ｙ軸を回転軸として自機を回転させたロール角を検出できる。電子機器１は、Ｚ軸を回転軸として自機を回転させたヨー角を検出できる。電子機器１は、検出したピッチ角、ロール角及びヨー角に基づいて、自機の傾きを検出できる。
【００５１】
例えば、ユーザは、電子機器１を利用する場合、Ｘ軸に対する回転方向へは自機を動かすが、Ｙ軸及びＺ軸に対する回転方向へは自機を動かさない傾向にある。例えば、ユーザは、電子機器１を置き台１００に置くときに、Ｘ軸に対する回転方向へ自機を回転させるが、Ｙ軸及びＺ軸に対する回転方向へは自機を回転させない傾向にある。Ｘ軸の回転方向におけるピッチ角は、電子機器１の傾きの加減を表すことができる。このため、電子機器１は、Ｘ軸の回転方向におけるピッチ角、ピッチ角の変化等に基づいて、ユーザがディスプレイ２Ａを見ている可能性がある自機の傾きを判定できる。
【００５２】
本実施形態では、Ｘ軸及びＹ軸は、ディスプレイ２Ａの縁に沿って設定する場合について説明するが、これに限定されない。例えば、Ｘ軸及びＹ軸は、ディスプレイ２Ａの中央付近、ハウジング２０の縁等を通るように設定してもよい。
【００５３】
本実施形態では、電子機器１は、ピッチ角、ロール角及びヨー角の３軸の角度に基づいて自機の傾斜を判定する場合について説明するが、これに限定されない。例えば、電子機器１は、ピッチ角、ロール角及びヨー角から合成ベクトルを求め、当該合成ベクトルに基づいて自機の傾斜を判定してもよい。
【００５４】
図７から図９は、電子機器１の傾きと傾斜範囲との関係の一例を示す図である。図７に示すように、電子機器１は、Ｘ軸の回転方向において、基準軸Ｂ１を設定している。基準軸Ｂ１は、重力方向に沿っている。電子機器１は、ユーザによって傾けられると、Ｘ軸を回転軸として、自機の傾きに応じた回転角（ピッチ角）θだけ回転する。この場合、Ｘ軸、Ｙ軸及びＺ軸は、電子機器１が傾斜しても、直交３軸が維持される。
【００５５】
電子機器１は、Ｘ軸の回転方向における第１傾斜範囲Ｒ１を示す情報を設定データ９Ｚに有している。第１傾斜範囲Ｒ１は、スリープ機能が有効である場合に、電子機器１が傾いた状態でユーザに利用されているか否かを判定するための傾斜範囲を含む。第１傾斜範囲Ｒ１は、第１角度Ａ１１から第２角度Ａ１２までの範囲となっている。図７に示す一例では、第１傾斜範囲Ｒ１は、３０度から７０度の傾斜範囲が設定されている。例えば、電子機器１は、第１傾斜範囲Ｒ１の第１角度Ａ１１と第２角度Ａ１２をユーザに設定させてもよい。例えば、電子機器１は、自機が利用されているときの自機の傾きの履歴を収集し、当該履歴に基づいて第１傾斜範囲Ｒ１を設定、変更してもよい。
【００５６】
電子機器１は、Ｘ軸の回転方向における解除用範囲Ｒ１０を示す情報を設定データ９Ｚに有している。解除用範囲Ｒ１０は、スリープ機能を終了する時間を延長する延長状態を、電子機器１の傾きによって解除する範囲を示す。解除用範囲Ｒ１０は、第１傾斜範囲Ｒ１に対応して設定されている。解除用範囲Ｒ１０は、第１角度Ａ１３から第２角度Ａ１４までの範囲となっている。図７に示す一例では、解除用範囲Ｒ１０は、第１傾斜範囲Ｒ１を含み、当該第１傾斜範囲Ｒ１よりも広い範囲となっている。その結果、電子機器１は、解除用範囲Ｒ１０を第１傾斜範囲Ｒ１よりも広くすることで、スリープ機能の延長状態への遷移と解除が頻繁に切り替わることを防止できる。解除用範囲Ｒ１０は、第１傾斜範囲Ｒ１と同一の範囲としてもよい。
【００５７】
図８に示すように、電子機器１は、Ｙ軸の回転方向において、基準軸Ｂ２を設定している。基準軸Ｂ２は、Ｘ軸に沿っている。電子機器１は、自機が傾けられた状態でユーザに利用される場合、Ｙ軸の回転方向における回転は起こり難い。電子機器１は、Ｙ軸の回転方向における第２傾斜範囲Ｒ２を示す情報を設定データ９Ｚに有している。第２傾斜範囲Ｒ２は、電子機器１が傾いた状態でユーザに利用されているか否かを判定するための範囲を含む。第２傾斜範囲Ｒ２は、第３角度Ａ２１から第４角度Ａ２２までの範囲となっている。電子機器１は、第２傾斜範囲Ｒ２の第３角度Ａ２１及び第４角度Ａ２２をユーザに設定させてもよい。
【００５８】
図９に示すように、電子機器１は、Ｚ軸の回転方向において、基準軸Ｂ３を設定している。基準軸Ｂ３は、Ｙ軸に沿っている。電子機器１は、自機が傾けられた状態でユーザに利用される場合、Ｚ軸の回転方向における回転は起こり難い。電子機器１は、Ｚ軸の回転方向における第２傾斜範囲Ｒ３を示す情報を設定データ９Ｚに有している。第２傾斜範囲Ｒ３は、自機が傾いた状態でユーザに利用されているか否かを判定するための範囲を含む。第２傾斜範囲Ｒ３は、第３角度Ａ３１から第４角度Ａ３２までの範囲となっている。電子機器１は、第２傾斜範囲Ｒ３の第３角度Ａ３１及び第４角度Ａ３２をユーザに設定させてもよい。
【００５９】
本実施形態では、Ｚ軸の回転方向における第２傾斜範囲Ｒ３は、Ｙ軸の回転方向における第２傾斜範囲Ｒ２と同じ範囲とした場合について説明するが、これに限定されない。例えば、第２傾斜範囲Ｒ３は、Ｙ軸の回転方向における第２傾斜範囲Ｒ２と異なる傾斜範囲としてもよい。
【００６０】
図７から図９に示す一例では、電子機器１は、ユーザ操作によって傾きやすいＸ軸に対する回転方向の第１傾斜範囲Ｒ１を、ユーザ操作によって傾き難いＹ軸及びＺ軸に対する回転方向の第２傾斜範囲Ｒ２，Ｒ３よりも大きくしている。電子機器１は、自機の傾きを複数の回転軸に分けて、条件を満たす傾斜範囲をそれぞれ設定することにより、ユーザが利用しているか否かの判定精度を向上できる。
【００６１】
図７から図９に示す一例では、第１傾斜範囲Ｒ１で最大の第２角度Ａ１２は、第２傾斜範囲Ｒ２，Ｒ３で最大の第４角度Ａ２２，Ａ３２よりも大きい。かつ、第１傾斜範囲Ｒ１で最小の第１角度Ａ１１は、第２傾斜範囲Ｒ２，Ｒ３で最小の第３角度Ａ２１，Ａ３１よりも大きい。かつ、第１傾斜範囲Ｒ１で最小の第１角度Ａ１１は、第２傾斜範囲Ｒ２，Ｒ３で最大の第４角度Ａ２２，Ａ３２よりも大きい。
【００６２】
図７から図９に示す一例では、電子機器１は、基準軸Ｂ１を基準とした回転角θ（ピッチ角）まで、ユーザによって傾けられている。電子機器１は、加速度センサ１５、方位センサ１６及びジャイロスコープ１７の検出結果に基づいて、Ｘ軸の回転方向における回転角θを検出できる。電子機器１は、ディスプレイ２Ａを点灯させた状態でアプリケーション９Ｂが実行している場合に、第１傾斜範囲Ｒ１内の回転角θが所定時間継続して検出していると、自機がユーザによって利用されている可能性があると判定することができる。このとき、電子機器１は、Ｙ軸の回転方向における角度が第２傾斜範囲Ｒ２内にあること、かつＺ軸の回転方向における角度が第２傾斜範囲Ｒ３内にあることを判定してもよい。所定時間は、例えば、検出した自機の傾きを確定するまでの予め定められた時間を含む。
【００６３】
電子機器１は、ユーザ操作によって自機が傾けられた場合、傾きによって変化しやすい回転軸（例えばＸ軸）と、傾きによって変化しにくい回転軸（例えばＹ軸、Ｚ軸）とがある。このため、電子機器１は、３つの回転軸のピッチ角、ロール角、ヨー角の角度成分に基づいて、条件を満たす傾斜範囲をそれぞれ設定することにより、自機がユーザによって見られている可能性があるとの推定精度を向上させることができる。
【００６４】
電子機器１は、ユーザの操作を検出してから自機をスリープさせるまでの第１時間を計時部１０ａによって計時する。電子機器１は、当該第１時間の計時が終了する前に、第１傾斜範囲Ｒ１内の自機の傾きを検出しても、第１時間の計時が終了するまでに、第１傾斜範囲Ｒ１内の自機の傾きが所定時間継続していない場合、第１時間の計時の終了に応じてディスプレイ２Ａを消灯することができる。電子機器１は、自機の傾きの検出中に、スリープ機能の第１時間が経過した場合、スリープ機能を優先することで、スリープ機能が頻繁に延長状態へ遷移することを防止できる。
【００６５】
本実施形態では、電子機器１は、第１傾斜範囲Ｒ１及び第２傾斜範囲Ｒ２，Ｒ３を示す情報を設定データ９Ｚに記憶している。第１傾斜範囲Ｒ１及び第２傾斜範囲Ｒ２，Ｒ３の少なくとも一方を示す情報は、制御プログラム９Ａに組み込まれてもよい。
【００６６】
例えば、第１傾斜範囲Ｒ１及び第２傾斜範囲Ｒ２，Ｒ３は、予め設定された範囲としてもよい。例えば、電子機器１は、ユーザによって利用されていた自機の傾きを蓄積し、蓄積した自機の傾きに基づいて、第１傾斜範囲Ｒ１及び第２傾斜範囲Ｒ２，Ｒ３を変更してもよい。例えば、電子機器１は、自機が置き台１００に置かれた場合の自機の傾きを検出し、当該自機の傾きに基づいて、第１傾斜範囲Ｒ１及び第２傾斜範囲Ｒ２，Ｒ３を設定または変更してもよい。電子機器１は、自機が置き台１００に置かれたことを、設定モードを用いてユーザに設定させてもよい。
【００６７】
電子機器１は、ディスプレイ２Ａを点灯させた状態で、第２傾斜範囲Ｒ２及び第２傾斜範囲Ｒ３の少なくとも一方から逸脱した自機の角度を検出した場合、自機がユーザによって利用されていないと判定してもよい。
【００６８】
図１０は、電子機器１のスリープ機能とディスプレイ２Ａの制御との関係の一例を示す図である。図１１は、電子機器１によるスリープ機能と表示する画面との一例を示す図である。
【００６９】
図１０に示すように、電子機器１は、ディスプレイ２Ａを消灯している状態で、制御プログラム９Ａを実行している場合、第１操作を検出すると、ディスプレイ２Ａを点灯するとともに、計時部１０ａによって第１時間の計時を開始する。
【００７０】
電子機器１は、第１操作を検出すると、図１１のステップＳ１１に示すように、上述した第２画面のうちの１つである画面４０をディスプレイ２Ａに表示する。第１操作は、例えば、電子機器１のパワーオン／オフボタンであるボタン３Ａに対する操作、タッチスクリーンディスプレイ２に対するジェスチャ等を含む。画面４０は、例えば、ユーザが画面を見続ける可能性が低い画面を含む。画面４０は、例えば、ホーム画面を含む。画面４０は、複数のアイコン５０を配置することができる。それぞれのアイコン５０は、電子機器１にインストールされているアプリケーションと予め対応付けられている。
【００７１】
電子機器１は、第１操作を検出した後から第１時間が経過するまでに、ディスプレイ２Ａの点灯を維持する第２操作を検出しないと、第１時間が経過した時間ｔ１においてディスプレイ２Ａを消灯する。
【００７２】
電子機器１は、第１操作を検出した後から第１時間が経過するまでに、第２操作を検出すると、計時部１０ａによる第１時間の計時を終了し、再び計時部１０ａによって第１時間の計時を開始する。その結果、電子機器１は、第２操作を監視する時間を時間ｔ２に変更し、ディスプレイ２Ａの点灯状態を継続する。
【００７３】
電子機器１は、第２操作を検出すると、図１１のステップＳ１１に示すように、アイコン５０に対応付けられているアプリケーションを実行してもよい。第２操作は、アイコン５０に対するジェスチャを含んでもよい。第２操作は、アプリケーションが起動された後に、当該アプリケーションをジェスチャ等によって操作することを含んでよい。第２操作は、例えば、アプリケーションを実行していない状態で、ディスプレイ２Ａの点灯を維持するタッチ、フリック等のジェスチャを含んでもよい。
【００７４】
図１１に示す一例では、電子機器１は、ブラウザのアプリケーション９Ｂに対応付けられたアイコン５０に対するタップを検出し、ブラウザのアプリケーション９Ｂを実行する。電子機器１は、図１１のステップＳ１２に示すように、上述した第１画面のうちの１つである、ブラウザの画面４１をディスプレイ２Ａに表示する。画面４１は、例えば、ユーザが画面を見続ける可能性がある画面を含む。
【００７５】
図１２及び図１３は、電子機器１のスリープ機能の延長状態における制御の一例を示す図である。図１２に示すように、電子機器１は、第１操作を検出してディスプレイ２Ａを点灯した後、自機の傾きの検出を開始する。電子機器１は、第１操作を検出した後から第１時間が経過するまでに、所定時間継続した第１傾斜範囲Ｒ１内の傾き（ピッチ角）を検出すると、計時部１０ａによる第１時間の計時を終了する。電子機器１は、スリープ機能を延長状態に遷移し、計時部１０ａによって第２時間の計時を開始する。第２時間は、例えば、第１時間と同じ時間であってもよいし、第１時間と異なる時間であってもよい。第２時間は、例えば、第１時間よりも長い時間であってもよい。
【００７６】
電子機器１は、ユーザが第２操作を行わなくても、第１傾斜範囲Ｒ１内に自機が傾けられると、第１時間の経過によって終了する時間ｔ１から、ディスプレイ２Ａの点灯を維持する時間を時間ｔ３に延長する。その結果、電子機器１は、ユーザ操作によって変化しうる自機の傾きを検出し、検出結果によってディスプレイ２Ａの点灯時間を延長することができる。言い換えると、電子機器１は、第１傾斜範囲Ｒ１内の自機の傾きを検出していると、第２操作があった場合と同様に、ディスプレイ２Ａを消灯させる時間を延長させることができる。
【００７７】
例えば、ユーザは、電子機器１がブラウザ、電子書籍などのアプリケーションを実行している場合、入力操作なしに暫く画面を見続けることがある。従来の電子機器は、スリープ機能が有効である場合、一定期間にわたってユーザの入力操作がないと、ユーザが利用しているにもかかわらず、ディスプレイ２Ａを消灯されていた。例えば、ユーザは、電子機器１を台所、浴室等で利用するときに、手が汚れたり、手が濡れたりすると、電子機器１を触りたくないが、ディスプレイ２Ａが消灯されたくない場合があった。
【００７８】
実施形態に係る電子機器１は、自機の傾きが第１傾斜範囲Ｒ１内で維持されている場合、ユーザの操作を必要とすることなく、ディスプレイ２Ａの点灯を維持する時間を延長できるため、電子機器１の操作性及び利便性を向上させることができる。
【００７９】
電子機器１は、時間ｔ３に到達した場合、第１傾斜範囲Ｒ１内の自機の傾きを検出すると、計時部１０ａによる第２時間の計時を終了し、再び計時部１０ａによって第２時間の計時を開始する。電子機器１は、自機の傾きが第１傾斜範囲Ｒ１内で維持されている場合、ディスプレイ２Ａの点灯を維持する時間を、第２時間が経過する時間ｔ４まで延長することができる。
【００８０】
電子機器１は、第２操作を検出した際に、第１画面である画面４１をディスプレイ２Ａに表示すると、第１傾斜範囲Ｒ１の自機の傾きを検出して、スリープ機能の時間を延長してもよい。これによれば、電子機器１は、ユーザが複数回の第２操作を行わなくても、第１傾斜範囲Ｒ１内に自機が傾けられると、第１時間の経過によって終了する時間ｔ１から、ディスプレイ２Ａの点灯を維持する時間を時間ｔ３に延長する。なお、上述した、ユーザによって利用されていた自機の傾きを蓄積することとは、画面４１を含む第１画面がディスプレイ２Ａに表示されていたときの自機の傾きを蓄積することであってもよいし、第１画面か第２画面かにかかわらず、ディスプレイ２Ａが点灯されていたときの自機の傾きを蓄積することであってもよい。
【００８１】
図１３に示す例では、図１２に示す時間ｔ１までは同一であるため、異なる部分のみを説明する。電子機器１は、計時している時間が時間ｔ３に到達する前に、自機の傾きが解除用範囲Ｒ１０から外れたことを検出すると、計時部１０ａによる第２時間の計時を終了し、スリープ機能の延長状態を解除する。電子機器１は、スリープ機能の延長状態を解除した時点から計時部１０ａによる第１時間の計時を開始する。電子機器１は、第１時間が経過する時間ｔ５までに第２操作を検出しない場合、ディスプレイ２Ａを消灯する。その結果、電子機器１は、スリープ機能の延長状態を、自機の傾きの変化に応じて解除することができるため、消費電力を抑制するとともに電子機器１の操作性を向上させることができる。
【００８２】
本実施形態では、電子機器１は、ホーム画面である画面４０を第２画面とし、ブラウザの画面４１を第１画面とした場合について説明するが、これに限定されない。第２画面は、例えば、スタート画面、ロック画面等を含む。第１画面は、例えば、電子書籍の画面、ナビゲートの画面等を含む。
【００８３】
本実施形態では、電子機器１は、スリープ機能を実行しているときに、ディスプレイ２Ａを消灯させる場合の一例について説明する。例えば、ディスプレイ２Ａが液晶ディスプレイである場合、電子機器１は、バックライトを消灯するとともに液晶ディスプレイの駆動を停止させることで、ディスプレイ２Ａを消灯してもよい。例えば、ディスプレイ２Ａが液晶ディスプレイである場合、電子機器１は、まず、バックライトを消灯させ、所定時間が経過した後に、ディスプレイ２Ａの駆動を停止させることで、ディスプレイ２Ａを消灯してもよい。
【００８４】
電子機器１は、スリープ機能を延長状態へ遷移させて、計時部１０ａによって第２時間を計時している場合、第２操作を検出すると、当該第２時間の計時を終了する。電子機器１は、第２時間の計時を終了させると、計時部１０ａによって第１時間の計時を開始する。その結果、電子機器１は、スリープ機能を延長状態へ遷移させても、ユーザの第２操作によって延長状態を解除できるので、自機の傾きによるディスプレイ２Ａの点灯時間の誤った延長を容易に解消できる。
【００８５】
図１４は、電子機器１によるスリープ機能の制御に関する所定手順の一例を示すフローチャートである。図１４に示す処理手順は、コントローラ１０が制御プログラム９Ａを実行することによって実現される。図１４に示す処理手順は、電子機器１がディスプレイ２Ａを点灯させていない場合に、繰り返し実行される。
【００８６】
図１４に示すように、電子機器１のコントローラ１０は、ボタン３及びタッチスクリーン２Ｂの検出結果に基づいて、第１操作を検出したか否かを判定する（ステップＳ１０１）。コントローラ１０は、第１操作を検出していないと判定した場合（ステップＳ１０１でＮｏ）、ステップＳ１０１の処理を繰り返す。コントローラ１０は、第１操作を検出したと判定した場合（ステップＳ１０１でＹｅｓ）、処理をステップＳ１０２に進める。
【００８７】
コントローラ１０は、ディスプレイ２Ａを点灯させる（ステップＳ１０２）。例えば、コントローラ１０は、ホーム画面の第２画面を点灯させたディスプレイ２Ａに表示させてもよい。コントローラ１０は、計時部１０ａによって第１時間の計時を開始する（ステップＳ１０３）。
【００８８】
コントローラ１０は、計時部１０ａによる計時が終了したか否かを判定する（ステップＳ１０４）。例えば、コントローラ１０は、計時している時間が経過していると、計時部１０ａによる計時が終了したと判定する。コントローラ１０は、計時部１０ａによる計時が終了していないと判定した場合（ステップＳ１０４でＮｏ）、処理をステップＳ１０５に進める。
【００８９】
コントローラ１０は、ボタン３及びタッチスクリーン２Ｂの検出結果に基づいて、第２操作を検出しているか否かを判定する（ステップＳ１０５）。コントローラ１０は、第２操作を検出していると判定した場合（ステップＳ１０５でＹｅｓ）、処理をステップＳ１０６に進める。
【００９０】
コントローラ１０は、計時部１０ａの計時を終了し、再び計時部１０ａによって第１時間の計時を開始する（ステップＳ１０６）。コントローラ１０は、スリープ機能が延長状態であるか否かを判定する（ステップＳ１０７）。コントローラ１０は、例えば、延長状態へ遷移または延長状態を継続が延長状態データ９Ｙに設定されている場合、延長状態であると判定する。コントローラ１０は、延長状態ではないと判定した場合（ステップＳ１０７でＮｏ）、処理を後述するステップＳ１０９に進める。コントローラ１０は、延長状態であると判定した場合（ステップＳ１０７でＹｅｓ）、処理をステップＳ１０８に進める。コントローラ１０は、延長状態データ９Ｙに延長状態の解除を設定すると（ステップＳ１０８）、処理をステップＳ１０９に進める。
【００９１】
コントローラ１０は、ボタン３及びタッチスクリーン２Ｂの検出結果に基づいて、終了操作を検出したか否かを判定する（ステップＳ１０９）。コントローラ１０は、終了操作を検出していないと判定した場合（ステップＳ１０９でＮｏ）、処理を既に説明したステップＳ１０４に戻す。コントローラ１０は、終了操作を検出したと判定した場合（ステップＳ１０９でＹｅｓ）、処理をステップＳ１１０に進める。
【００９２】
コントローラ１０は、計時部１０ａによる計時を終了する（ステップＳ１１０）。コントローラ１０は、ディスプレイ２Ａを消灯させる（ステップＳ１１１）。コントローラ１０は、ディスプレイ２Ａを消灯させると、図１４に示す処理手順を終了させる。
【００９３】
コントローラ１０は、第２操作を検出していないと判定した場合（ステップＳ１０５でＮｏ）、処理をステップＳ１１２に進める。
【００９４】
コントローラ１０は、傾斜判別処理を実行する（ステップＳ１１２）。例えば、傾斜判別処理は、自機の傾きに基づいて、延長状態へ遷移するか、延長状態を継続するか、延長状態を解除するかを判別する。傾斜判別処理の一例については、後述する。コントローラ１０は、傾斜判別処理が終了すると、処理をステップＳ１１３に進める。
【００９５】
コントローラ１０は、スリープ機能が延長状態へ遷移したか否かを判定する（ステップＳ１１３）。コントローラ１０は、例えば、延長状態へ遷移が延長状態データ９Ｙに設定されている場合、延長状態へ遷移したと判定する。コントローラ１０は、延長状態へ遷移していないと判定した場合（ステップＳ１１３でＮｏ）、処理を既に説明したステップＳ１０９に進める。コントローラ１０は、既に説明したステップＳ１０９以降の処理を実行する。
【００９６】
コントローラ１０は、延長状態へ遷移したと判定した場合（ステップＳ１１３でＹｅｓ）、処理をステップＳ１１４に進める。コントローラ１０は、計時部１０ａの計時を終了し、計時部１０ａによって第２時間の計時を開始する（ステップＳ１１４）。コントローラ１０は、既に説明したステップＳ１０９以降の処理を実行する。
【００９７】
コントローラ１０は、計時部１０ａによる計時が終了したと判定した場合（ステップＳ１０４でＹｅｓ）、処理を既に説明したステップＳ１１１に進める。コントローラ１０は、ステップＳ１１１の処理を実行することにより、ディスプレイ２Ａを消灯させると、図１４に示す処理手順を終了させる。
【００９８】
図１４に示す処理手順では、コントローラ１０は、第２操作を検出したか否かを判定した後に、傾斜判別処理を実行して延長状態へ遷移したか否かを判定するが、コントローラ１０は、傾斜判別処理を実行して延長状態であるか否かを判定した後に、第２操作を検出したか否かを判定してもよい。その場合、コントローラ１０は、延長状態へ遷移していないと判定すると、第２操作を検出したか否かを判定する。そして、コントローラ１０は、第２操作を検出していないと判定すると、処理をステップＳ１０９に進め、ボタン３及びタッチスクリーン２Ｂの検出結果に基づいて、終了操作を検出したか否かを判定する。
【００９９】
図１４に示す処理手順は、ディスプレイ２Ａに第１画面を表示中であるか否かを判定する処理を含んでもよい。例えば、図１４に示す処理手順は、第２操作を検出していない場合に、第１画面を表示中であるか否かの判定処理を含んでもよい。例えば、コントローラ１０は、第２操作を検出していないと判定した場合に、第１画面を表示中であると、傾斜判別処理を実行する処理手順としてもよい。例えば、第１画面を表示中は、実行されたアプリケーション９Ｂの画面をディスプレイ２Ａに表示している状態を含む。図１４に示す処理手順は、ディスプレイ２Ａに第１画面を表示中であるか否かを判定する処理を、第２操作を検出していると判定した後の処理として追加してもよい。
【０１００】
図１５は、電子機器１による傾斜判別処理の所定手順の一例を示すフローチャートである。図１５に示す処理手順は、コントローラ１０が制御プログラム９Ａを実行することによって実現される。図１５に示す処理手順は、図１４に示す処理手順のステップＳ１１２が実行された場合に、実行される。
【０１０１】
図１５に示すように、電子機器１のコントローラ１０は、自機の傾きを検出する（ステップＳ２０１）。例えば、コントローラ１０は、傾きデータ９Ｘに基づいて、自機の傾きを検出する。例えば、コントローラ１０は、加速度センサ１５、方位センサ１６、及びジャイロスコープ１７を用いて検出したピッチ角、ロール角及びヨー角に基づいて、自機の傾きを検出してもよい。コントローラ１０は、自機の傾きを検出すると、処理をステップＳ２０２に進める。
【０１０２】
コントローラ１０は、スリープ機能が延長状態であるか否かを判定する（ステップＳ２０２）。コントローラ１０は、例えば、延長状態へ遷移または延長状態を継続が延長状態データ９Ｙに設定されている場合、延長状態であると判定する。コントローラ１０は、延長状態ではないと判定した場合（ステップＳ２０２でＮｏ）、処理を後述するステップＳ２０３に進める。
【０１０３】
コントローラ１０は、検出した自機の傾きが第１傾斜範囲Ｒ１内であるか否かを判定する（ステップＳ２０３）。例えば、コントローラ１０は、自機の傾きのピッチ角が設定データ９Ｚの第１傾斜範囲Ｒ１内であると、傾きが第１傾斜範囲Ｒ１内であると判定する。例えば、コントローラ１０は、自機の傾きの３軸の角度が第１傾斜範囲Ｒ１内かつ第２傾斜範囲Ｒ２，Ｒ３内である場合に、傾きが第１傾斜範囲Ｒ１内であると判定してもよい。コントローラ１０は、傾きが第１傾斜範囲Ｒ１内ではないと判定した場合（ステップＳ２０３でＮｏ）、図１５に示す処理手順を終了させる。
【０１０４】
コントローラ１０は、傾きが第１傾斜範囲Ｒ１内であると判定した場合（ステップＳ２０３でＹｅｓ）、処理をステップＳ２０４に進める。コントローラ１０は、第１傾斜範囲Ｒ１内が所定時間継続しているか否かを判定する（ステップＳ２０４）。例えば、コントローラ１０は、第１傾斜範囲Ｒ１内での自機の傾きが所定時間継続していることを傾きデータ９Ｘが示している場合、第１傾斜範囲Ｒ１内が所定時間継続していると判定する。コントローラ１０は、第１傾斜範囲Ｒ１内が所定時間継続していないと判定した場合（ステップＳ２０４でＮｏ）、図１５に示す処理手順を終了させる。
【０１０５】
コントローラ１０は、第１傾斜範囲Ｒ１内が所定時間継続していると判定した場合（ステップＳ２０４でＹｅｓ）、処理をステップＳ２０５に進める。コントローラ１０は、延長状態データ９Ｙに延長状態へ遷移を設定する（ステップＳ２０５）。コントローラ１０は、延長状態へ遷移を設定すると、図１５に示す処理手順を終了させる。
【０１０６】
コントローラ１０は、延長状態であると判定した場合（ステップＳ２０２でＹｅｓ）、処理をステップＳ２０６に進める。コントローラ１０は、検出した自機の傾きが解除用範囲Ｒ１０内であるか否かを判定する（ステップＳ２０６）。例えば、コントローラ１０は、自機の傾きのピッチ角が設定データ９Ｚの解除用範囲Ｒ１０内であると、傾きが解除用範囲Ｒ１０内であると判定する。コントローラ１０は、傾きが解除用範囲Ｒ１０内であると判定した場合（ステップＳ２０６でＹｅｓ）、処理をステップＳ２０７に進める。コントローラ１０は、延長状態データ９Ｙに延長状態の継続を設定する（ステップＳ２０７）。コントローラ１０は、延長状態の継続を設定すると、図１５に示す処理手順を終了させる。
【０１０７】
コントローラ１０は、傾きが解除用範囲Ｒ１０内ではないと判定した場合（ステップＳ２０６でＮｏ）、処理をステップＳ２０８に進める。コントローラ１０は、解除用範囲Ｒ１０外が所定時間継続しているか否かを判定する（ステップＳ２０８）。例えば、コントローラ１０は、解除用範囲Ｒ１０外での自機の傾きが所定時間継続していることを傾きデータ９Ｘが示している場合、解除用範囲Ｒ１０外が所定時間継続していると判定する。コントローラ１０は、解除用範囲Ｒ１０外が所定時間継続していないと判定した場合（ステップＳ２０８でＮｏ）、図１５に示す処理手順を終了させる。
【０１０８】
コントローラ１０は、解除用範囲Ｒ１０外が所定時間継続していると判定した場合（ステップＳ２０８でＹｅｓ）、処理をステップＳ２０９に進める。コントローラ１０は、延長状態データ９Ｙに延長状態の解除を設定する（ステップＳ２０９）。コントローラ１０は、延長状態の解除を設定すると、図１５に示す処理手順を終了させる。
【０１０９】
例えば、電子機器１は、自機が置かれた角度によってはユーザが使用していない場合に、ディスプレイ２Ａを点灯し続ける可能性がある。そのため、電子機器１は、スリープ機能の延長状態を無効とする無効条件を設定することができる。
【０１１０】
無効条件は、例えば、照度センサ４、近接センサ５、カメラ（インカメラ）１２等を用いて、ユーザがディスプレイ２Ａを見ていないことを、スリープ機能の延長状態への遷移を無効とする条件を含む。本実施形態では、電子機器１は、照度センサ４、近接センサ５及びカメラ（インカメラ）１２を第２センサとして用いる場合について説明するが、これに限定されない。第２センサは、例えば、人感センサ、距離センサ等のセンサとしてもよい。
【０１１１】
無効条件は、例えば、電子機器１の移動状態が歩行状態、走行状態、自転車での移動状態等の自機が静止していない場合に、スリープ機能の延長状態への遷移を無効とする条件としてもよい。無効条件は、例えば、電子機器１の移動状態が乗り物での移動状態である場合に、スリープ機能の延長状態への遷移を無効とする条件としてもよい。本実施形態では、電子機器１は、加速度センサ１５、方位センサ１６及びジャイロスコープ１７を第３センサとして用いる場合について説明するが、これに限定されない。第３センサは、例えば、加速度センサ１５のみとしてもよい。
【０１１２】
電子機器１は、無効条件を示す情報を設定データ９Ｚに記憶できる。電子機器１は、制御プログラム９Ａを実行することにより、センサの検出結果に基づいて無効条件を満たすと判定した場合、スリープ機能を延長状態へ遷移させない。電子機器１は、無効条件を満たしていないと判定した場合に、自機が第１傾斜範囲Ｒ１の傾きを維持していると、スリープ機能を延長状態へ遷移させる。
【０１１３】
例えば、ユーザは、使用している電子機器１をカバンの中に収納したり、電子機器１を放置したりする可能性がある。例えば、電子機器１は、カバンの中などで電話の着信、電子メールの受信等でディスプレイ２Ａを点灯したときに、自機が所定の角度で傾斜していると、スリープ機能を延長状態に遷移させる可能性がある。例えば、電子機器１は、セキュリティなしの設定の場合、ユーザがアプリケーション９Ｂを前回使っていた場合に、起動時にアプリケーション９Ｂの画面４１をディスプレイ２Ａに表示する可能性がある。
【０１１４】
これらの場合に、電子機器１は、上述した第１傾斜範囲Ｒ１内の傾きで停止する可能性がある。電子機器１は、例えば、自機の周囲が暗く、ユーザがディスプレイ２Ａを見ていることを判断できないと、無効条件を満たすと判定し、スリープ機能を延長状態へ遷移させない。その結果、電子機器１は、自機の周囲環境及び自機の移動状態が無効条件を満たしているか否かを判定することで、電話の着信等の割り込みでディスプレイ２Ａを点灯したときに、スリープ機能を誤って延長状態へ遷移させる可能性を低減できる。
【０１１５】
電子機器１は、スリープ機能におけるディスプレイ２Ａの点灯時間を自機の傾きに基づいて延長する場合、延長時間の最大延長時間を設定することができる。電子機器１は、最大延長時間を示す情報を設定データ９Ｚに記憶できる。最大延長時間は、延長時間の最大値を設定することができる。最大延長時間は、ユーザに設定させてもよい。本実施形態では、最大延長時間は、例えば３０分とした場合について説明する。電子機器１は、自機の傾きの検出に応じて延長した時間が最大延長時間に到達した場合に、スリープ機能の延長状態を解除することができる。その結果、電子機器１は、誤ってスリープ機能を延長状態へ遷移させても、最大延長時間になると、当該延長状態を途中で解除できるので、消費電力を抑制することができる。
【０１１６】
図１６は、電子機器１による傾斜判別処理の所定手順の他の一例を示すフローチャートである。図１６に示す処理手順は、コントローラ１０が制御プログラム９Ａを実行することによって実現される。図１６に示す処理手順は、図１４に示す処理手順のステップＳ１１２が実行された場合に、実行される。
【０１１７】
図１６に示す例では、ステップＳ２０１からステップＳ２０９の処理は、図１５に示すステップＳ２０１からステップＳ２０９の処理と同一であるため、異なる部分のみを説明し、同一部分の説明は省略する。
【０１１８】
図１６に示すように、電子機器１のコントローラ１０は、自機の移動状態及び自機の周囲環境を検出する（ステップＳ２２１）。例えば、コントローラ１０は、加速度センサ１５、方位センサ１６及びジャイロスコープ１７の検出結果と判別データとに基づいて、電子機器１の移動状態を判別する。例えば、コントローラ１０は、照度センサ４、近接センサ５及びカメラ１２の検出結果に基づいて、自機の周囲環境を検出する。自機の周囲環境は、例えば、自機の周囲が暗いか否かでもよいし、ユーザがディスプレイ２Ａを見ているか否かでもよい。
【０１１９】
コントローラ１０は、検出した自機の移動状態及び自機の周囲環境と設定データ９Ｚとに基づいて、無効条件を満たすか否かを判定する（ステップＳ２２２）。例えば、コントローラ１０は、自機の移動状態及び自機の周囲環境が無効条件を満たす場合に、無効条件を満たすと判定する。例えば、コントローラ１０は、自機の移動状態及び自機の周囲環境の少なくとも一方が無効条件を満たす場合に、無効条件を満たすと判定する。コントローラ１０は、無効条件を満たすと判定した場合（ステップＳ２２２でＹｅｓ）、図１６の処理手順を終了させる。その結果、コントローラ１０は、既に説明した図１５の傾斜判別処理のステップＳ２０１以降の処理を実行しないため、スリープ機能を延長状態へ遷移させない。
【０１２０】
コントローラ１０は、無効条件を満たしていないと判定した場合（ステップＳ２２２でＮｏ）、処理を既に説明したステップＳ２０１に進める。コントローラ１０は、既に説明した図１５のステップＳ２０１以降の傾斜判別処理を実行する。
【０１２１】
コントローラ１０は、検出した自機の傾きが解除用範囲Ｒ１０内であるか否かを判定する（ステップＳ２０６）。コントローラ１０は、傾きが解除用範囲Ｒ１０内であると判定した場合（ステップＳ２０６でＹｅｓ）、処理をステップＳ２３１に進める。
【０１２２】
コントローラ１０は、延長時間が最大延長時間に到達したか否かを判定する（ステップＳ２３１）。例えば、コントローラ１０は、第１傾斜範囲Ｒ１内の自機の傾きの検出に応じて延長した時間の累積時間が設定データ９Ｚの最大延長時間に到達したか否かを判定する。累積時間は、例えば、第２時間の計時を終了する毎にストレージ９に記憶してもよい。累積時間は、例えば、第２時間の計時結果に基づいて算出してもよい。
【０１２３】
コントローラ１０は、延長時間が最大延長時間に到達していないと判定した場合（ステップＳ２３１でＮｏ）、処理を既に説明したステップＳ２０７に進める。コントローラ１０は、ステップＳ２０７の実行により、延長状態データ９Ｙに延長状態の継続を設定すると、図１６に示す処理手順を終了させる。その結果、延長時間が最大延長時間に到達していないため、コントローラ１０は、図１４に示した処理手順を実行することにより、スリープ機能の延長状態を継続することができる。
【０１２４】
コントローラ１０は、延長時間が最大延長時間に到達していると判定した場合（ステップＳ２３１でＹｅｓ）、処理を既に説明したステップＳ２０９に進める。コントローラ１０は、ステップＳ２０９の実行により、延長状態データ９Ｙに延長状態の解除を設定すると、図１６に示す処理手順を終了させる。その結果、延長時間が最大延長時間に到達しているため、コントローラ１０は、図１４に示した処理手順を実行することにより、スリープ機能の延長状態を解除することができる。
【０１２５】
図１６に示す処理手順は、ステップＳ２２１からステップＳ２２２の処理を、無効条件を満たすか否かを判定する処理として追加する場合について説明したが、これに限定されない。例えば、ステップＳ２２１からステップＳ２２２の処理は、図１４に示すステップＳ１１２の直前に設けてもよい。この場合、コントローラ１０は、第２の操作を検出していないと判定した場合（ステップＳ１０５でＮｏ）、ステップＳ２２１とステップＳ２２２とを順次実行する。コントローラ１０は、無効条件を満たすと判定した場合（ステップＳ２２２でＹｅｓ）、処理を図１４のステップＳ１１３に進める。すなわち、コントローラ１０は、ステップＳ１１２の傾斜判別処理を実行しない。また、コントローラ１０は、無効条件を満たしていないと判定した場合（ステップＳ２２２でＮｏ）、処理を図１４のステップＳ１１２に進める。すなわち、コントローラ１０は、ステップＳ１１２の傾斜判別処理を実行する。
【０１２６】
上述した実施形態では、電子機器１は、自機が置き台１００に置かれた状態、自機がユーザの手によって保持された状態等に対応した第１傾斜範囲Ｒ１及び第２傾斜範囲Ｒ２，Ｒ３を設定する場合について説明したが、これに限定されない。
【０１２７】
例えば、ユーザは、寝転がった状態で水平に電子機器１を置いて操作する場合がある。例えば、ユーザは、置き台１００、クレードル等を用いずに、電子機器１をテーブル上に直に置いて操作する場合がある。このため、電子機器１は、例えば、自機が水平に置かれた状態、水平に近い状態等に対応した第１傾斜範囲Ｒ１及び第２傾斜範囲Ｒ２，Ｒ３を設定してもよい。例えば、電子機器１は、ディスプレイ２Ａにアプリケーション９Ｂの画面を表示している状態で、自機が水平の状態を所定時間維持していることを検出した場合に、スリープ機能を延長状態に遷移させてもよい。その結果、電子機器１は、ユーザの利用形態に応じてディスプレイ２Ａの点灯時間を延長させることができるため、利便性の向上を図ることができる。
【０１２８】
上述した実施形態では、電子機器１は、第１操作を検出した後から第１時間が経過するまでに、第２操作を検出すると、計時部１０ａによる第１時間の計時を終了する場合について説明したが、これに限定されない。例えば、電子機器１は、第１操作を検出した後から第１時間が経過するまでに、第２操作を検出すると、計時部１０ａによる第１時間の計時を終了した後に、再び計時部１０ａによって第１時間の計時を開始してもよい。
【０１２９】
実施形態に係る電子機器１は、ディスプレイ２Ａを消灯させた後すぐにディスプレイ２Ａを点灯されたことを検出した場合、または、ディスプレイ２Ａを点灯させてから一定時間経過し、ディスプレイ２Ａの明るさを下げた後すぐにタッチのジェスチャを検出した場合、自機の傾きの検出を開始してもよい。
【０１３０】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成を具現化するように構成されるべきである。
【符号の説明】
【０１３１】
１  電子機器
２  タッチスクリーンディスプレイ
２Ａ  ディスプレイ
２Ｂ  タッチスクリーン
３  ボタン
４  照度センサ
５  近接センサ
６  通信ユニット
７  スピーカ
８  マイク
９  ストレージ
９Ａ  制御プログラム
９Ｂ  アプリケーション
９Ｘ  傾きデータ
９Ｙ  延長状態データ
９Ｚ  設定データ
１０  コントローラ
１１  赤外線センサ
１２、１３  カメラ
１４  コネクタ
１５  加速度センサ
１６  方位センサ
１７  ジャイロスコープ
２０  ハウジング
【図１】
2019083415.tif 000003
【図２】
2019083415.tif 000004
【図３】
2019083415.tif 000005
【図４】
2019083415.tif 000006
【図５】
2019083415.tif 000007
【図６】
2019083415.tif 000008
【図７】
2019083415.tif 000009
【図８】
2019083415.tif 000010
【図９】
2019083415.tif 000011
【図１０】
2019083415.tif 000012
【図１１】
2019083415.tif 000013
【図１２】
2019083415.tif 000014
【図１３】
2019083415.tif 000015
【図１４】
2019083415.tif 000016
【図１５】
2019083415.tif 000017
【図１６】
2019083415.tif 000018
【手続補正書】
【提出日】平成30年5月31日(2018.5.31)
【手続補正１】
【補正対象書類名】特許請求の範囲
【補正対象項目名】全文
【補正方法】変更
【補正の内容】
【特許請求の範囲】
【請求項１】
ディスプレイと、コントローラと、基準軸に対する自機の傾きを検出する一または複数の第１センサと、を備え、
前記コントローラは、
前記ディスプレイが消灯している間に前記ディスプレイを点灯させる第１操作がなされると、前記ディスプレイを点灯させ、
前記第１操作がなされた後から第１時間が経過するまでに前記ディスプレイの点灯を維持する第２操作がなされないと、前記ディスプレイを消灯させ、
前記第１センサの検出結果に基づいて自機が所定の傾斜範囲にあると判定すると、前記ディスプレイが点灯してから消灯するまでの時間を延長する、
電子機器。
【請求項２】
前記コントローラは、
前記第１操作のみによって前記ディスプレイを点灯させ、前記第１センサの検出結果のみに基づいて前記ディスプレイが点灯してから消灯するまでの時間を延長する
請求項１に記載の電子機器。
【請求項３】
前記コントローラは、
前記ディスプレイが消灯している間に前記第１操作がなされると、計時部によって前記第１時間の計時を開始して前記ディスプレイを点灯させ、
前記第１操作がなされてから前記第１時間が経過するまでに前記第２操作がなされないと、前記ディスプレイを消灯させ、
前記ディスプレイが点灯している間は、前記第１センサの検出結果に基づいて自機が所定の傾斜範囲にあると判定すると、前記第１時間の計時を終了し、前記ディスプレイの点灯を維持した状態で前記計時部によって第２時間の計時を開始することで、前記ディスプレイが点灯してから消灯するまでの時間を延長する、
請求項１または２に記載の電子機器。
【請求項４】
前記コントローラは、
前記ディスプレイが点灯している間に前記第２操作がなされると、前記第１時間の計時を終了し、再び前記計時部によって前記第１時間の計時を開始して前記ディスプレイの点灯を維持する、
請求項３に記載の電子機器。
【請求項５】
前記コントローラは、
前記第１センサが第１角度から第２角度までの第１傾斜範囲で前記自機の傾きを所定時間継続して検出すると、前記第１時間の計時を終了し、前記第２時間の計時を開始して前記ディスプレイの点灯を維持する、
請求項３または４に記載の電子機器。
【請求項６】
前記コントローラは、
前記第１時間の計時を開始してから終了するまでの間に、前記第１センサが前記第１傾斜範囲で前記自機の傾きを所定時間継続して検出すると、前記第１時間の計時を終了して前記第２時間の計時を開始して前記ディスプレイの点灯を維持する、
請求項５に記載の電子機器。
【請求項７】
前記コントローラは、
前記第１時間の計時が終了する前に前記第１センサが前記第１傾斜範囲で前記自機の傾きを検出しても、前記第１時間の計時が終了するまでに前記第１センサが前記第１傾斜範囲で前記自機の傾きを前記所定時間継続して検出しなければ、前記第１時間の計時を終了して前記ディスプレイの点灯を維持しない、
請求項６に記載の電子機器。
【請求項８】
前記基準軸は、前記自機に設定された第１回転軸及び第２回転軸のそれぞれに対して定められ、
前記第１センサは、前記第１回転軸および前記第２回転軸に対する前記自機の傾きを検出し、
前記コントローラは、
前記第１センサが前記第１回転軸に対する前記第１傾斜範囲での前記自機の傾き、および前記第２回転軸に対する第３角度から第４角度までの第２傾斜範囲での前記自機の傾きを所定時間継続して検出すると、前記第２時間の計時を開始して前記ディスプレイの点灯を維持する、
請求項５に記載の電子機器。
【請求項９】
前記第１傾斜範囲は、前記第２傾斜範囲よりも大きい、
請求項８に記載の電子機器。
【請求項１０】
前記第１傾斜範囲で最大の前記第２角度は、前記第２傾斜範囲で最大の前記第４角度よりも大きく、かつ、前記第１傾斜範囲で最小の前記第１角度は、第２傾斜範囲で最小の前記第３角度よりも大きい、
請求項８に記載の電子機器。
【請求項１１】
前記第１傾斜範囲で最小の前記第１角度は、前記第２傾斜範囲で最大の前記第４角度よりも大きい、
請求項９に記載の電子機器。
【請求項１２】
前記コントローラは、
前記ディスプレイが第１画面を表示している場合は、前記第１センサの検出結果に応じて、前記ディスプレイが点灯してから消灯するまでの時間を延長し、
前記ディスプレイが前記第１画面とは異なる第２画面を表示している場合は、前記第１センサの検出結果にかかわらず、前記ディスプレイが点灯してから消灯するまでの時間を変更しない、
請求項１から１１のいずれか１項に記載の電子機器。
【請求項１３】
前記コントローラは、
延長された前記時間が、あらかじめ設定された時間に達すると、前記第１センサの検出結果にかかわらず、前記第２時間の計時を行わない、
請求項３から１１のいずれか１項に記載の電子機器。
【請求項１４】
前記コントローラは、
前記第２時間を計時している場合に、前記第２操作がなされると、前記第２時間の計時を終了する、
請求項１３に記載の電子機器。
【請求項１５】
前記自機の周囲の環境の変化を検出する第２センサを備え、
前記コントローラは、
前記第１センサと前記第２センサとの双方の検出結果に基づいて自機が所定の傾斜範囲にあると判定すると、前記ディスプレイが点灯してから消灯するまでの時間を延長する、
請求項１から１４のいずれか１項に記載の電子機器。
【請求項１６】
前記自機の移動状態を検出する第３センサを備え、
前記コントローラは、
前記第３センサの検出結果に基づいて前記自機が静止していると判定している場合に、前記第１センサの検出結果に基づいて自機が所定の傾斜範囲にあると判定すると、前記ディスプレイが点灯してから消灯するまでの時間を延長する
請求項１から１５のいずれか１項に記載の電子機器。
【請求項１７】
ディスプレイと、一または複数の第１センサとを備える電子機器によって実行される制御方法であって、
前記第１センサによって基準軸に対する自機の傾きを検出するステップと、
前記ディスプレイが消灯している間に前記ディスプレイを点灯させる第１操作がなされると、前記ディスプレイを点灯させるステップと、
前記第１操作がなされた後から第１時間が経過するまでに前記ディスプレイの点灯を維持する第２操作がなされないと、前記ディスプレイを消灯させるステップと、
前記第１センサの検出結果に基づいて自機が所定の傾斜範囲にあると判定すると、前記ディスプレイが点灯してから消灯するまでの時間を延長するステップと、
を含む制御方法。
【請求項１８】
ディスプレイと、一または複数の第１センサとを備える電子機器に、
前記第１センサによって基準軸に対する自機の傾きを検出するステップと、
前記ディスプレイが消灯している間に前記ディスプレイを点灯させる第１操作がなされると、前記ディスプレイを点灯させるステップと、
前記第１操作がなされた後から第１時間が経過するまでに前記ディスプレイの点灯を維持する第２操作がなされないと、前記ディスプレイを消灯させるステップと、
前記第１センサの検出結果に基づいて自機が所定の傾斜範囲にあると判定すると、前記ディスプレイが点灯してから消灯するまでの時間を延長するステップと、
を実行させる制御プログラム。
【手続補正書】
【提出日】平成30年10月5日(2018.10.5)
【手続補正１】
【補正対象書類名】特許請求の範囲
【補正対象項目名】全文
【補正方法】変更
【補正の内容】
【特許請求の範囲】
【請求項１】
ディスプレイと、コントローラと、基準軸に対する自機の傾きを検出する一または複数の第１センサと、を備え、
前記コントローラは、
前記ディスプレイが消灯している間に前記ディスプレイを点灯させる第１操作がなされると、前記ディスプレイを点灯させ、
前記第１操作がなされた後から第１時間が経過するまでに前記ディスプレイの点灯を維持する第２操作がなされないと、前記ディスプレイを消灯させ、
前記第１センサの検出結果に基づいて自機が所定の傾斜範囲にあることを所定時間継続して検出すると、前記ディスプレイが点灯してから消灯するまでの時間を延長して前記ディスプレイの点灯を維持する電子機器。
【請求項２】
前記コントローラは、
前記第１操作のみによって前記ディスプレイを点灯させ、前記第１センサの検出結果のみに基づいて前記ディスプレイが点灯してから消灯するまでの時間を延長する
請求項１に記載の電子機器。
【請求項３】
前記コントローラは、
前記ディスプレイが消灯している間に前記第１操作がなされると、計時部によって前記第１時間の計時を開始して前記ディスプレイを点灯させ、
前記第１操作がなされてから前記第１時間が経過するまでに前記第２操作がなされないと、前記ディスプレイを消灯させ、
前記ディスプレイが点灯している間は、前記第１センサの検出結果に基づいて自機が所定の傾斜範囲にあると判定すると、前記第１時間の計時を終了し、前記ディスプレイの点灯を維持した状態で前記計時部によって第２時間の計時を開始することで、前記ディスプレイが点灯してから消灯するまでの時間を延長する、
請求項１または２に記載の電子機器。
【請求項４】
前記コントローラは、
前記ディスプレイが点灯している間に前記第２操作がなされると、前記第１時間の計時を終了し、再び前記計時部によって前記第１時間の計時を開始して前記ディスプレイの点灯を維持する、
請求項３に記載の電子機器。
【請求項５】
前記コントローラは、
前記第１センサが第１角度から第２角度までの第１傾斜範囲で前記自機の傾きを所定時間継続して検出すると、前記第１時間の計時を終了し、前記第２時間の計時を開始して前記ディスプレイの点灯を維持する、
請求項３または４に記載の電子機器。
【請求項６】
前記コントローラは、
前記第１時間の計時を開始してから終了するまでの間に、前記第１センサが前記第１傾斜範囲で前記自機の傾きを所定時間継続して検出すると、前記第１時間の計時を終了して前記第２時間の計時を開始して前記ディスプレイの点灯を維持する、
請求項５に記載の電子機器。
【請求項７】
前記コントローラは、
前記第１時間の計時が終了する前に前記第１センサが前記第１傾斜範囲で前記自機の傾きを検出しても、前記第１時間の計時が終了するまでに前記第１センサが前記第１傾斜範囲で前記自機の傾きを前記所定時間継続して検出しなければ、前記第１時間の計時を終了して前記ディスプレイの点灯を維持しない、
請求項６に記載の電子機器。
【請求項８】
前記基準軸は、前記自機に設定された第１回転軸及び第２回転軸のそれぞれに対して定められ、
前記第１センサは、前記第１回転軸および前記第２回転軸に対する前記自機の傾きを検出し、
前記コントローラは、
前記第１センサが前記第１回転軸に対する前記第１傾斜範囲での前記自機の傾き、および前記第２回転軸に対する第３角度から第４角度までの第２傾斜範囲での前記自機の傾きを所定時間継続して検出すると、前記第２時間の計時を開始して前記ディスプレイの点灯を維持する、
請求項５に記載の電子機器。
【請求項９】
前記第１傾斜範囲は、前記第２傾斜範囲よりも大きい、
請求項８に記載の電子機器。
【請求項１０】
前記第１傾斜範囲で最大の前記第２角度は、前記第２傾斜範囲で最大の前記第４角度よりも大きく、かつ、前記第１傾斜範囲で最小の前記第１角度は、第２傾斜範囲で最小の前記第３角度よりも大きい、
請求項８に記載の電子機器。
【請求項１１】
前記第１傾斜範囲で最小の前記第１角度は、前記第２傾斜範囲で最大の前記第４角度よりも大きい、
請求項９に記載の電子機器。
【請求項１２】
前記コントローラは、
前記ディスプレイが第１画面を表示している場合は、前記第１センサの検出結果に応じて、前記ディスプレイが点灯してから消灯するまでの時間を延長し、
前記ディスプレイが前記第１画面とは異なる第２画面を表示している場合は、前記第１センサの検出結果にかかわらず、前記ディスプレイが点灯してから消灯するまでの時間を変更しない、
請求項１から１１のいずれか１項に記載の電子機器。
【請求項１３】
前記コントローラは、
延長された前記時間が、あらかじめ設定された時間に達すると、前記第１センサの検出結果にかかわらず、前記第２時間の計時を行わない、
請求項３から１１のいずれか１項に記載の電子機器。
【請求項１４】
前記コントローラは、
前記第２時間を計時している場合に、前記第２操作がなされると、前記第２時間の計時を終了する、
請求項１３に記載の電子機器。
【請求項１５】
前記自機の周囲の環境の変化を検出する第２センサを備え、
前記コントローラは、
前記第１センサと前記第２センサとの双方の検出結果に基づいて自機が所定の傾斜範囲にあると判定すると、前記ディスプレイが点灯してから消灯するまでの時間を延長する、
請求項１から１４のいずれか１項に記載の電子機器。
【請求項１６】
前記自機の移動状態を検出する第３センサを備え、
前記コントローラは、
前記第３センサの検出結果に基づいて前記自機が静止していると判定している場合に、前記第１センサの検出結果に基づいて自機が所定の傾斜範囲にあると判定すると、前記ディスプレイが点灯してから消灯するまでの時間を延長する
請求項１から１５のいずれか１項に記載の電子機器。
【請求項１７】
ディスプレイと、一または複数の第１センサとを備える電子機器によって実行される制御方法であって、
前記第１センサによって基準軸に対する自機の傾きを検出するステップと、
前記ディスプレイが消灯している間に前記ディスプレイを点灯させる第１操作がなされると、前記ディスプレイを点灯させるステップと、
前記第１操作がなされた後から第１時間が経過するまでに前記ディスプレイの点灯を維持する第２操作がなされないと、前記ディスプレイを消灯させるステップと、
前記第１センサの検出結果に基づいて自機が所定の傾斜範囲にあることを所定時間継続して検出すると、前記ディスプレイが点灯してから消灯するまでの時間を延長して前記ディスプレイの点灯を維持するステップと、
を含む制御方法。
【請求項１８】
ディスプレイと、一または複数の第１センサとを備える電子機器に、
前記第１センサによって基準軸に対する自機の傾きを検出するステップと、
前記ディスプレイが消灯している間に前記ディスプレイを点灯させる第１操作がなされると、前記ディスプレイを点灯させるステップと、
前記第１操作がなされた後から第１時間が経過するまでに前記ディスプレイの点灯を維持する第２操作がなされないと、前記ディスプレイを消灯させるステップと、
前記第１センサの検出結果に基づいて自機が所定の傾斜範囲にあることを所定時間継続して検出すると、前記ディスプレイが点灯してから消灯するまでの時間を延長して前記ディスプレイの点灯を維持するステップと、
を実行させる制御プログラム。